(57)【要約】【課題】特色を用いた画像の印刷に際して、特色に置換される画像の領域を置換色で描画するための置換色を選択する場合に、特色に置換する領域に対する適切な候補色を表示する。【解決手段】置換色に関する情報を表示する情報表示装置として機能するユーザーインターフェイス画面６０は、色を特定するＲＧＢ値が第１の範囲に含まれる１つの色を順次抽出し、抽出した１つの色のＲＧＢ値を基準にして第２の範囲内に含まれるＲＧＢ値を有する近傍色を抽出し、抽出した１つの色および近傍色が特色印刷する画像で使われているか否かを判定し、１つの色および近傍色が画像で使われていない場合、１つの色に関する色情報とＲＧＢ値とを表示する。【選択図】図２
2011244301.tif 000002
【特許請求の範囲】
【請求項１】
特色を用いた画像の印刷に際して、前記特色に置換される前記画像の領域を置換色で描画するための前記置換色を決定する場合に、前記置換色に関する情報を表示する情報表示装置であって、
色を特定する特性値が第１の範囲に含まれる１つの色を順次抽出し、抽出した前記１つの色の前記特性値を基準にして第２の範囲内に含まれる前記特性値を有する近傍色を抽出し、抽出した前記１つの色および前記近傍色が前記画像で使われているか否かを判定し、前記１つの色および前記近傍色が前記画像で使われていない場合、前記１つの色の前記特性値に関する特性情報を表示することを特徴とする情報表示装置。
【請求項２】
請求項１に記載の情報表示装置において、
前記特性情報を表示すべき色が複数個の場合、それぞれの前記色の前記特性値と前記特色の前記特性値との差異に基づく順序で前記特性情報を表示することを特徴とする情報表示装置。
【請求項３】
請求項２に記載の情報表示装置において、
前記順序は、前記色の前記特性値と前記特色の前記特性値との差異が小さい順であることを特徴とする情報表示装置。
【請求項４】
請求項１乃至３のいずれか１項に記載の情報表示装置において、
前記特性情報は、前記１つの色を示す色情報と、前記特性値を示す数値情報と、を含むことを特徴とする情報表示装置。
【請求項５】
請求項１乃至４のいずれか１項に記載の情報表示装置において、
前記画像は、前記画像を含むファイルの名称および前記ファイルの格納場所で指定されることを特徴とする情報表示装置。
【請求項６】
請求項１乃至５のいずれか１項に記載の情報表示装置において、
表示された前記特性情報の中から選択された１つが前記置換色として設定されることを特徴とする情報表示装置。
【請求項７】
特色を用いた画像の印刷に際して、前記特色に置換される前記画像の領域を置換色で描画するための前記置換色を決定する場合に、前記置換色に関する情報を表示する情報表示方法であって、
色を特定する特性値が第１の範囲に含まれる１つの色を順次抽出し、抽出した前記１つの色が前記画像で使われているか、否かを判定する第１判定工程と、
前記第１判定工程で、前記１つの色が前記画像で使われていないと判定された場合、前記１つの色の前記特性値を基準にして第２の範囲内に含まれる前記特性値を有する近傍色が、前記画像で使われているか、否かを判定する第２判定工程と、
前記第２判定工程で、前記近傍色が前記画像で使われていないと判定された場合、前記１つの色の前記特性値に関する特性情報を表示する表示工程と、を有することを特徴とする情報表示方法。
【請求項８】
特色を用いた画像の印刷に際して、前記特色に置換される前記画像の領域を置換色で描画するための前記置換色を決定する場合に、前記置換色に関する情報を表示する情報表示プログラムであって、
色を特定する特性値が第１の範囲に含まれる１つの色を順次抽出し、抽出した前記１つの色が前記画像で使われているか、否かを判定する第１判定機能と、
前記１つの色が前記画像で使われていないと前記第１判定機能が判定した場合、前記１つの色の前記特性値を基準にして第２の範囲内に含まれる前記特性値を有する近傍色が、前記画像で使われているか、否かを判定する第２判定機能と、
前記近傍色が前記画像で使われていないと前記第２判定機能が判定した場合、前記１つの色の前記特性値に関する特性情報を表示する表示機能と、をコンピューターに実行させることを特徴とする情報表示プログラム。
【発明の詳細な説明】
【技術分野】
【０００１】
本発明は、特色に置換する置換色を表示する情報表示装置、情報表示方法および情報表示プログラムに関する。
【背景技術】
【０００２】
従来、プリンターは、パーソナルコンピューターから印刷の実行が指示されると、印刷対象画像の画像データの各画素の色を表す値をインク色の階調を表す値へ変換する色変換処理を始め、ハーフトーン処理、並べ換え処理等を実行する。これらの処理を経て印刷データが生成され、生成された印刷データはプリンターで印刷される。
色変換処理では、ＲＧＢ表色系で表された画像データは、ルックアップテーブル（ＬＵＴ）を用いて補間演算することにより、ＣＭＹＫ値に変換される。この場合、通常の色は、Ｃ（シアン）、Ｍ（マゼンタ）、Ｙ（イエロー）、Ｋ（ブラック）等、予め決まった組合せのプロセスカラー（基本色）で表現される。
ところが、基本色の組合せでは、表現できる色領域が限られているため、ユーザーが所望する色が再現できない場合があり、このような問題を解決すべく、下記特許文献１のように、基本色では再現が困難なスポットカラー（特色）を用いた特色印刷用の色変換のための対応付け情報を参照して色変換が行われる。この対応付け情報では、入力画像データにおいて、ある特定のＲＧＢ値で表された画素を所望のＣＭＹＫ値に変換できるように直接的な対応付けがなされている。
【先行技術文献】
【特許文献】
【０００３】
【特許文献１】特開２００６−２８７７０８号公報
【発明の概要】
【発明が解決しようとする課題】
【０００４】
ところで、上述の技術を適用して特色印刷する際、印刷前に印刷される画像をディスプレイに表示し、印刷されるイメージの確認や校正を行うことがある。このような場合、特色で印刷される部分は、ユーザーが指定した色に置換されて表示される。
しかしながら、ユーザーが画像を視認して色を指定する際に、例えば、画像の中で既に使用されている色を指定すると、特色印刷時には指定した色の部分が全て特色に置き換えられて印刷されるため、非特色領域も特色に置換されてしまうことがあった。また、特色とは全く異なる色を指定した場合、特色印刷する画像とは異なる画像の印象をユーザーに与えることがあった。本発明は、特色に置換する領域に対する適する候補色を表示することを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる情報表示装置は、特色を用いた画像の印刷に際して、前記特色に置換される前記画像の領域を置換色で描画するための前記置換色を決定する場合に、前記置換色に関する情報を表示する情報表示装置であって、色を特定する特性値が第１の範囲に含まれる１つの色を順次抽出し、抽出した前記１つの色の前記特性値を基準にして第２の範囲内に含まれる前記特性値を有する近傍色を抽出し、抽出した前記１つの色および前記近傍色が前記画像で使われているか否かを判定し、前記１つの色および前記近傍色が前記画像で使われていない場合、前記１つの色の前記特性値に関する特性情報を表示することを特徴とする。
【０００７】
このような構成によれば、第１の範囲に含まれる色の中から１つの色が順次抽出され、更に、抽出された１つの色の特性値を基準にして第２の範囲内に含まれる特性値を有する近傍色が抽出され、抽出された１つの色と近傍色が画像の中で使われていない場合、１つの色の特性値に関する特性情報が表示される。従って、画像の中で使われていない色であって、かつ、近傍色も画像の中で使われていない色の特性情報が抽出されて表示されるため、表示された色を置換色に設定することで、特色印刷の際に置換されるべき領域以外の領域が置換色で置換されることを回避できると共に、特色の置換色として適切な色の情報を表示できる。
【０００８】
［適用例２］
上記適用例にかかる情報表示装置において、前記特性情報を表示すべき色が複数個の場合、それぞれの前記色の前記特性値と前記特色の前記特性値との差異に基づく順序で前記特性情報を表示することが好ましい。
【０００９】
このような構成によれば、特色の特性値との差異に基づく順序で複数の特性情報を表示できる。
【００１０】
［適用例３］
上記適用例にかかる情報表示装置において、前記順序は、前記色の前記特性値と前記特色の前記特性値との差異が小さい順であることが好ましい。
【００１１】
このような構成によれば、特色の特性値との差異が小さく色が近似する順序で表示できる。
【００１２】
［適用例４］
上記適用例にかかる情報表示装置において、前記特性情報は、前記１つの色を示す色情報と、前記特性値を示す数値情報と、を含んでも良い。
【００１３】
［適用例５］
上記適用例にかかる情報表示装置において、前記画像は、前記画像を含むファイルの名称および前記ファイルの格納場所で指定しても良い。
【００１４】
［適用例６］
上記適用例にかかる情報表示装置において、表示された前記特性情報の中から選択された１つが前記置換色として設定されても良い。
【００１５】
［適用例７］
本適用例にかかる情報表示方法は、特色を用いた画像の印刷に際して、前記特色に置換される前記画像の領域を置換色で描画するための前記置換色を決定する場合に、前記置換色に関する情報を表示する情報表示方法であって、色を特定する特性値が第１の範囲に含まれる１つの色を順次抽出し、抽出した前記１つの色が前記画像で使われているか、否かを判定する第１判定工程と、前記第１判定工程で、前記１つの色が前記画像で使われていないと判定された場合、前記１つの色の前記特性値を基準にして第２の範囲内に含まれる前記特性値を有する近傍色が、前記画像で使われているか、否かを判定する第２判定工程と、前記第２判定工程で、前記近傍色が前記画像で使われていないと判定された場合、前記１つの色の前記特性値に関する特性情報を表示する表示工程と、を有することを特徴とする。
【００１６】
このような方法によれば、第１の範囲に含まれる色の中から１つの色が順次抽出され、更に、抽出された１つの色の特性値を基準にして第２の範囲内に含まれる特性値を有する近傍色が抽出され、抽出された１つの色と近傍色が画像の中で使われていない場合、１つの色の特性値に関する特性情報が表示される。従って、画像の中で使われていない色であって、かつ、近傍色も画像の中で使われていない色の特性情報が抽出されて表示されるため、表示された色を置換色に設定することで、特色印刷の際に置換されるべき領域以外の領域が置換色で置換されることを回避できると共に、特色の置換色として適切な色の情報を表示できる。
【００１７】
［適用例８］
本適用例にかかる情報表示プログラムは、特色を用いた画像の印刷に際して、前記特色に置換される前記画像の領域を置換色で描画するための前記置換色を決定する場合に、前記置換色に関する情報を表示する情報表示プログラムであって、色を特定する特性値が第１の範囲に含まれる１つの色を順次抽出し、抽出した前記１つの色が前記画像で使われているか、否かを判定する第１判定機能と、前記１つの色が前記画像で使われていないと前記第１判定機能が判定した場合、前記１つの色の前記特性値を基準にして第２の範囲内に含まれる前記特性値を有する近傍色が、前記画像で使われているか、否かを判定する第２判定機能と、前記近傍色が前記画像で使われていないと前記第２判定機能が判定した場合、前記１つの色の前記特性値に関する特性情報を表示する表示機能と、をコンピューターに実行させることを特徴とする。
【００１８】
このような構成によれば、第１の範囲に含まれる色の中から１つの色が順次抽出され、更に、抽出された１つの色の特性値を基準にして第２の範囲内に含まれる特性値を有する近傍色が抽出され、抽出された１つの色と近傍色が画像の中で使われていない場合、１つの色の特性値に関する特性情報が表示される。従って、画像の中で使われていない色であって、かつ、近傍色も画像の中で使われていない色の特性情報が抽出されて表示されるため、表示された色を置換色に設定することで、特色印刷の際に置換されるべき領域以外の領域が置換色で置換されることを回避できると共に、特色の置換色として適切な色の情報を表示できる。
【図面の簡単な説明】
【００１９】
【図１】印刷システムの概略構成を示す図。
【図２】特色支援ツールが表示するユーザーインターフェイス画面を示す図。
【図３】未使用な色を抽出する処理の流れを示すフローチャート。
【図４】１つの色の使用状況をチェックする処理の流れを示すフローチャート。
【発明を実施するための形態】
【００２０】
以下、情報表示装置について図面を参照して説明する。
【００２１】
（実施形態）
図１は、本実施形態における情報表示装置を含む印刷システム５の概略構成を示している。この印刷システム５は、リモートＰＣ１０と、コントロールＰＣ５０とが、ネットワーク４０を介して通信可能に接続されている。
コントロールＰＣ５０には、印刷装置として、インクジェット方式のカラープリンター５５が接続されている。コントロールＰＣ５０は、リモートＰＣ１０から出力される印刷ジョブを受信すると、カラープリンター５５を用いて受信した印刷ジョブに応じた印刷出力を行う。
【００２２】
リモートＰＣ１０は印刷表示装置となるコンピューターであり、情報を表示するディスプレイ３５が接続されている。このリモートＰＣ１０には、何れもソフトウェアである、アプリケーションプログラム１２、プリンタードライバー１８および特色支援ツール３０がインストールされている。これらのソフトウェアと、何れも図示を略したＣＰＵ、ＲＡＭ、ＲＯＭおよび記憶装置等のハードウェアとが協働することで、印刷表示装置の機能や種々の機能を実現している。
本実施形態では、アプリケーションプログラム１２は、カラープリンター５５で印刷するラベル画像を生成するためのアプリケーションを想定する。ユーザーは、このアプリケーションプログラム１２を用いて、ラベル画像の作成、加工編集等の画像処理を行い、ページレイアウト等の印刷用の画像データや描画命令を作成できる。
【００２３】
プリンタードライバー１８は、アプリケーションプログラム１２が作成したページレイアウト等の画像データと、種々の処理指示を含む印刷ジョブを生成し、生成した印刷ジョブをコントロールＰＣ５０に送信できる。また、プリンタードライバー１８は、設定を変更することで、生成した印刷ジョブをコントロールＰＣ５０の指定したフォルダーにファイル形式で出力できる。
プリンタードライバー１８が生成する印刷ジョブは、カラー印刷に対応している。本実施形態では、カラー印刷は、シアン、マゼンタ、イエローおよびブラックの４色の基本色を用いて行われるが、必要に応じて特色のインクを使用できる。
【００２４】
特色支援ツール３０は、作成したラベル画像を特色で印刷する場合、ユーザーが特色で印刷する領域を所定の置換色（ＲＧＢキー）で指示するために、選択可能なＲＧＢキーの候補をユーザーに表示する機能を有する。本実施形態では、特色支援ツール３０は、一連の印刷処理機能とは独立した様態であり、リモートＰＣ１０の所定のＯＳ管理下で実行可能ファイルの様態で組み込まれている。しかしながら、この様態には限定されず、印刷処理機能と一体の様態であっても良い。
【００２５】
ここで、特色印刷のための画像データを作成する場合において、特色に変換される領域を描画するべく、未使用な置換色の情報を取得する処理の流れを概説する。
最初に、ユーザーはアプリケーションプログラム１２を操作してラベル画像を作成する。次に、ユーザーは、アプリケーションプログラム１２で作成したラベル画像のデータ１６をプリンタードライバー１８に送り、プリンタードライバー１８に印刷させる。この場合、ラベル画像の印刷ジョブ２０は、リモートＰＣ１０の所定のフォルダーに出力される。
【００２６】
次に、プロファイル変換表３２を作成すべく、ユーザーは、フルカラーチャートのデータ１４をプリンタードライバー１８に送り、プリンタードライバー１８に印刷させる。この場合、フルカラーチャートの印刷ジョブ２２は、ラベル画像の印刷ジョブ２０と同様に、リモートＰＣ１０の所定のフォルダーに出力される。
最後に、リモートＰＣ１０は、ラベル画像の印刷ジョブ２０と作成したプロファイル変換表３２とを用いて、ラベル画像において特色に変換される領域を描画するための未使用な置換色の情報を算出することにより取得する。
【００２７】
特色支援ツール３０は、上述の処理において、ラベル画像に特色を用いる場合、ディスプレイ３５に表示されるラベル画像において、特色に変換される領域を未使用な置換色で描画するために、選択可能な未使用の色の情報をユーザーに表示する。
【００２８】
図２は、置換色の候補に関する情報をユーザーに示すべく、特色支援ツール３０がリモートＰＣ１０のディスプレイ３５に表示するユーザーインターフェイス画面６０の一例である。このユーザーインターフェイス画面６０は、情報表示装置の機能を実行する情報表示プログラムにより生成されるユーザーインターフェイスであり、未使用な色を抽出するラベル画像のファイルを指定するための画像ファイルパス指定手段６２と、抽出した色を置換色候補として表示する結果表示手段６５と、未使用な色の抽出を指示する抽出指示手段７０と、このユーザーインターフェイス画面６０の終了を指示する終了指示手段７５と、を備える。
ユーザーは、抽出対象のラベル画像のファイル名と、ファイルが格納されているパスを画像ファイルパス指定手段６２で指定し、抽出指示手段７０のボタンを押下することにより、未使用な色の抽出処理が開始される。本実施形態では、抽出処理は、抽出対象のラベル画像において使われていないＲＧＢ値であって、かつ、明度差、色差が色空間上でユーザーにより判別可能な差を有するＲＧＢ値を抽出する。即ち、色を特定する特性値であるＲＧＢ値が抽出される条件は、１つのＲＧＢ値を中心として所定の半径を有する３次元ＲＧＢ色空間における球体領域を想定した場合、その球体領域が含むＲＧＢ値が抽出対象の画像で使われていないことである。尚、所定の半径は一定であっても良く、例えば、人物の視認特性に基づいてＲＧＢ値に応じて変動しても良い。
【００２９】
結果表示手段６５には、指定されたラベル画像から抽出された未使用な色の特性値に関する特性情報を、抽出された未使用な色のＲＧＢ値と、特色のＲＧＢ値との差異に基づく順序に従い表示する。本実施形態では、差異が小さい順序で表示される。これにより、ユーザーは、特色で置換されるラベル画像のイメージを、できる限り忠実にディスプレイ３５に表示できる。また、ユーザーは、差異が大きい順序で表示するように変更できる。これにより、ユーザーは、特色で置換される領域をラベル画像の中で強調させることができる。
本実施形態では、表示される特性情報は、順序を示す番号と、未使用な色を示す色情報（カラーバー）と、未使用な色の数値情報を示すＲＧＢ値であるが、これらに限定されない。
本実施形態では、このユーザーインターフェイス画面６０の機能は、未使用な色に関する情報の表示であるが、これには限定されない。例えば、ユーザーは、複数表示された未使用な色に関する情報の中から、所望の色を指示しても良い。この場合、指示した色は、ラベル画像の特色に変換される領域を塗りつぶす置換色として設定される。
【００３０】
図３は、ＲＧＢキーとして使用するための未使用な色を抽出する処理の流れを示すフローチャートである。
この処理が開始されると、抽出対象のラベル画像が選択される（ステップＳ１００）＜選択工程＞。続いて、リモートＰＣ１０のＣＰＵは、ＲＧＢ値を検索する検索範囲（第１の範囲）と検索タイミングを設定する（ステップＳ１０１）。検索範囲と検索タイミングは、予め設定された一定値であっても良く、また、必要に応じて変更しても良い。本実施形態では、検索タイミングを適切に設定することで、抽出対象のＲＧＢ値を分散させることができる。
【００３１】
次に、リモートＰＣ１０のＣＰＵは、ＲＧＢ値の初期値に設定する（ステップＳ１０２）。尚、ＲＧＢ値の初期値は予め決められている。
次に、リモートＰＣ１０のＣＰＵは、検索タイミングに該当するか、否かを判定する（ステップＳ１０４）。ここで、検索タイミングに該当しないと判定された場合（ステップＳ１０４でＮｏ）、ステップＳ１０６、ステップＳ１０８およびステップＳ１１０を実行することなく、ステップＳ１１２に進む。
他方で、検索タイミングに該当すると判定された場合（ステップＳ１０４でＹｅｓ）、ＲＧＢ値の使用状況をチェックする（ステップＳ１０６）。
【００３２】
ここで、図４は、ステップＳ１０６の詳細なフローチャートであり、図４に従い説明する。尚、ステップＳ１０６までに設定されたＲＧＢ値は、プログラムの引数として伝達される。
最初に、リモートＰＣ１０のＣＰＵは、ＲＧＢ値が抽出対象のラベル画像内で使用されているか、否かを判定する（ステップＳ１２０）＜第１判定工程＞。ここで、ＲＧＢ値が抽出対象のラベル画像内で使用されていると判定された場合（ステップＳ１２０でＹｅｓ）、ＲＧＢ値または近傍色が使用されていることを示す情報を戻り値として（ステップＳ１３０）、一連の処理を終了する。
他方で、ＲＧＢ値が抽出対象のラベル画像内で使用されていないと判定された場合（ステップＳ１２０でＮｏ）、リモートＰＣ１０のＣＰＵは、近傍色の範囲（第２の範囲）を設定する（ステップＳ１２１）。尚、近傍色の範囲は、予め設定された一定値であっても良く、また、必要に応じて変更しても良い。
【００３３】
次に、リモートＰＣ１０のＣＰＵは、近傍色の範囲でＲＧＢ値を構成するＲ（ＲＥＤ）成分、Ｇ（ＧＲＥＥＮ）成分およびＢ（ＢＬＵＥ）成分の少なくとも１つを変化させたＲ’Ｇ’Ｂ’値を設定する（ステップＳ１２２）。
次に、リモートＰＣ１０のＣＰＵは、Ｒ’Ｇ’Ｂ’値が抽出対象のラベル画像内で使用されているか、否かを判定する（ステップＳ１２４）＜第２判定工程＞。
ここで、Ｒ’Ｇ’Ｂ’値が抽出対象のラベル画像内で使用されていると判定された場合（ステップＳ１２４でＹｅｓ）、ＲＧＢ値または近傍色が使用されていることを示す情報を戻り値として（ステップＳ１３０）、一連の処理を終了する。
【００３４】
他方で、Ｒ’Ｇ’Ｂ’値が抽出対象のラベル画像内で使用されていないと判定された場合（ステップＳ１２４でＮｏ）、近傍色の範囲内のＲＧＢ値を全てチェックしたか、否かを判定する（ステップＳ１２６）。
ここで、近傍色の範囲内のＲＧＢ値を全てチェックしていないと判定された場合（ステップＳ１２６でＮｏ）、ステップＳ１２２に戻る。
他方で、近傍色の範囲内のＲＧＢ値を全てチェックしたと判定された場合（ステップＳ１２６でＹｅｓ）、ＲＧＢ値および近傍色が使用されていないことを示す情報を戻り値として（ステップＳ１２８）、一連の処理を終了する。
【００３５】
図３に戻り、リモートＰＣ１０のＣＰＵは、ステップＳ１０６の戻り値に基づいて、ＲＧＢ値および近傍色は使用されているか、否かを判定する（ステップＳ１０８）。
ここで、ＲＧＢ値および近傍色は共に使用されていないと判定された場合（ステップＳ１０８でＮｏ）、リモートＰＣ１０のＣＰＵは、ＲＧＢ値は未使用であると判定し、ＲＧＢ値の情報を結果表示手段６５に表示する（ステップＳ１１０）＜表示工程＞。ここで、ＲＧＢ値の情報が複数ある場合、特色に一番近い色から順に表示する。
他方で、ＲＧＢ値または近傍色が使用されていると判定された場合（ステップＳ１０８でＹｅｓ）、ステップＳ１１０を実行することなく、ステップＳ１１２に進む。
【００３６】
ステップＳ１１２では、リモートＰＣ１０のＣＰＵは、検査範囲内のＲＧＢ値を全てチェックしたか、否かを判定する（ステップＳ１１２）。
ここで、検査範囲内のＲＧＢ値を全てチェックしていないと判定された場合（ステップＳ１１２でＮｏ）、リモートＰＣ１０のＣＰＵは、ＲＧＢ値を構成するＲ成分、Ｇ成分およびＢ成分の少なくとも１つを変化させ（ステップＳ１１４）、ステップＳ１０４に戻る。
他方で、検査範囲内のＲＧＢ値を全てチェックしたと判定された場合（ステップＳ１１２でＹｅｓ）、一連の処理を終了する。
【００３７】
上述した処理により、指定されたラベル画像における未使用な色に関する情報は、容易に抽出される。抽出された色は、指定されたラベル画像に使用されていないことに加え、その近傍色も使用されていないため、ＲＧＢキーに適する候補である。ユーザーが候補の１つをＲＧＢキーとして決定した場合、決定したＲＧＢキーの色が置換色として表示されるため、ユーザーはラベル画像内において特色に置換される領域を容易かつ確実に識別できる。
【００３８】
以上のような手法を実施する装置は、単独の装置によって実現される場合もあれば、複数の装置を組み合わせることによって実現される場合もあり、各種の態様を含むものである。
【符号の説明】
【００３９】
５…印刷システム、１０…リモートＰＣ、１２…アプリケーションプログラム、１４…フルカラーチャートのデータ、１６…ラベル画像のデータ、１８…プリンタードライバー、２０…ラベル画像の印刷ジョブ、２２…フルカラーチャートの印刷ジョブ、３０…特色支援ツール、３２…プロファイル変換表、３５…ディスプレイ、４０…ネットワーク、５０…コントロールＰＣ、５５…カラープリンター、６０…ユーザーインターフェイス画面、６２…画像ファイルパス指定手段、６５…結果表示手段、７０…抽出指示手段、７５…終了指示手段。
【図１】
2011244301.tif 000003
【図２】
2011244301.tif 000004
【図３】
2011244301.tif 000005
【図４】
2011244301.tif 000006